(57)【要約】【課題】投子捕捉盤を切り替えることによって抽選手段の切替えが容易に実現でき、そのため、スペース的にもコスト的にも負担がかからず、また、その切替え状態を明確に視認できるルーレットゲーム装置を提供する。【解決手段】  複数の投子捕捉盤（４ａ，４ｂ，４ｃ）が、適宜の間隔を介して支軸（５）上に同軸に取り付けられ、当該支軸（５）が、ルーレット回転盤（１）と同軸に昇降自在に支持され、支軸（５）の昇降駆動装置（７）及び投子捕捉盤の回転装置（８）が設けられ、かつ、プレイヤーにより選択され、又は、ゲームの進行状態に応じて自動的に選択された投子捕捉盤（４ａ，４ｂ，４ｃ）の任意の一つが、ゲームフィールド（１ａ）の内縁と同じ高さに移動せしめられるよう構成されたこと、を特徴とする。【選択図】図１
2005065885.tif 000002
【特許請求の範囲】
【請求項１】
すり鉢型のゲームフィールド（１ａ）を有するルーレット回転盤（１）と、
ルーレット回転盤を回転させる駆動機構（２）と、
プレイヤーの操作に基づき、ルーレット回転盤上にゲーム用投子を射出する装置（３）と、
周縁部に複数の投子捕捉ポケットを有し、ルーレット回転盤と同軸に、ゲームフィールドの内縁と同じ高さに設けられる投子捕捉盤（４ａ）と、
投子捕捉盤の各投子捕捉ポケットごとに設けられた投子検知器（６０１〜６１８）と、
各投子検知器からの投子検知信号に応じ、所定の賞を与える入賞装置（９）とを具備したルーレットゲーム装置において、
複数の投子捕捉盤（４ａ，４ｂ，４ｃ）が、適宜の間隔を介して支軸（５）上に同軸に取り付けられ、
当該支軸（５）が、ルーレット回転盤（１）と同軸に昇降自在に支持され、
支軸（５）の昇降駆動装置（７）及び投子捕捉盤の回転装置（８）が設けられ、かつ、
プレイヤーにより選択され、又は、ゲームの進行状態に応じて自動的に選択された投子捕捉盤（４ａ，４ｂ，４ｃ）の任意の一つが、ゲームフィールド（１ａ）の内縁と同じ高さに移動せしめられるよう構成されたこと、
を特徴とする抽選手段切替え機能を有するルーレットゲーム装置。
【請求項２】
複数の投子捕捉盤（４ａ，４ｂ，４ｃ）のうち特定の投子捕捉盤（４ｃ）については、プレイヤーにより選択され、ゲームフィールド（１ａ）の内縁と同じ高さに移動せしめられた後に、軸中心に回転せしめられるよう構成されたことを特徴とする請求項１に記載のルーレットゲーム装置。
【請求項３】
ルーレット回転盤の外縁部に沿って上下方向に変位可能な障壁枠（１ｂ）を設けたことを特徴とする請求項１又は２に記載のルーレットゲーム装置。
【請求項４】
投子が、ボール、コイン、メダル又はさいころのうちから選ばれたいずれか一種である請求項１に記載のルーレットゲーム装置。
【発明の詳細な説明】
【技術分野】
【０００１】
本発明は、単独で用いることも、他のゲーム装置と組み合わせて用いることも可能なルーレットゲーム装置に関し、特に、抽選手段の切替え機能を有するルーレットゲーム装置に関するものである。
【背景技術】
【０００２】
本物のルーレットを模したゲームを行う装置としては、例えば下記の特許文献１〜２に記載のもののほか、各種各様のものが多数知られている。
【特許文献１】特開平１１−１３７７６８号公報
【特許文献２】特開平１１−１３７７７２号公報
【０００３】
また、ルーレット式の回転ゲーム盤上にメダルを投下し、メダルが受け入れられたポケットの種類に応じてゲームを進行させるように構成したメダルゲーム機が、下記の特許文献３に開示されている。
【特許文献３】特開２０００−３００８２７号公報
【０００４】
更にまた、スロットマシンゲーム機でゲーム中に抽選を行う場合に、ディスプレイ画面に一時的にルーレットを表示して抽選を行う遊戯機が、下記の特許文献４に開示されている。
【特許文献４】特開２００２−１４３３８０号公報
【０００５】
然しながら、これらの従来のルーレットゲーム装置若しくは他のゲーム装置に組み込まれたルーレット盤は、いずれも単一の抽選種別と抽選手段しか備えておらず、利用形態に限界があった。
即ち、例えばメダルゲーム機において、そのメダルゲームのゲーム進行過程において、ボーナス付与や罰ゲームを行い、その結果をメダルゲームに反映させることを目的として、ルーレット盤を用いて抽選を行うように構成したメダルゲーム機が存在する。その場合、ルーレットゲーム盤上の複数のポケットのどれにボールが入ったかを検知して出目の有無を決定し、これに基づいてボーナスや罰を付与するようになっている。そのようなルーレット盤に複数の抽選種別と手段が必要な場合において、抽選種別の切替えはランプや表示物によりその変化を示すことができるが、抽選手段の切替えのためには、ルーレット盤自体を複数組設ける必要があり、スペース的にもコスト的にも実現することが困難であった。
【発明の開示】
【発明が解決しようとする課題】
【０００６】
本発明は、上記の問題点を解決するためなされたものであり、その目的とするところは、抽選手段の切替えを、スペース的にもコスト的にも負担をかけることなく実現でき、ゲーム状況に適した抽選手段を選択し、切り替えることが可能であると共に、その切替え状態をプレイヤーが明確に把握でき、デモンストレーション効果にも優れたルーレットゲーム装置を提供することにある。
【課題を解決するための手段】
【０００７】
本発明の上記の目的は、
すり鉢型のゲームフィールドを有するルーレット回転盤と、
ルーレット回転盤を回転させる駆動機構と、
プレイヤーの操作に基づき、ルーレット回転盤上にゲーム用投子を射出する装置と、
周縁部に複数の投子捕捉ポケットを有し、ルーレット回転盤と同軸に、ゲームフィールドの内縁と同じ高さに設けられる投子捕捉盤と、
投子捕捉盤の各投子捕捉ポケットごとに設けられた投子検知器と、
各投子検知器からの投子検知信号に応じ、所定の賞を与える入賞装置とを具備したルーレットゲーム装置において、
複数の投子捕捉盤が、適宜の間隔を介して支軸上に同軸に取り付けられ、
当該支軸が、ルーレット回転盤と同軸に昇降自在に支持され、
支軸の昇降駆動装置及び投子捕捉盤の回転装置が設けられ、かつ、
プレイヤーにより選択され、又は、ゲームの進行状態に応じて自動的に選択された投子捕捉盤の任意の一つが、ゲームフィールドの内縁と同じ高さに移動せしめられるよう構成されたこと、
を特徴とする抽選手段切替え機能を有するルーレットゲーム装置によって達成できる。
【０００８】
複数の投子捕捉盤のうち特定の投子捕捉盤については、プレイヤーにより選択され、ゲームフィールドの内縁と同じ高さに移動せしめられた後に、軸中心に回転せしめられるよう構成されることが推奨される。
また、ルーレット回転盤の外縁部に沿って上下方向に変位可能な障壁枠を設けることも推奨される。
【０００９】
投子は、ボール、コイン、メダル、さいころ等々、様々な形態のものを用いることができる。
【００１０】
なお、本発明のルーレットゲーム装置は、他のゲーム装置と組み合わせて用いように構成できるほか、単独のゲーム機として構成することも可能である。
【発明の効果】
【００１１】
上記の如き構成であると、複数の投子捕捉盤のうちから、ゲーム状況に応じて最適若しくは予め定められた所定の投子捕捉盤を、プレイヤーの選択若しくは自動選択により決定して、当該選択された投子捕捉盤を、その支軸を昇降させることによりゲームフィールドの内縁と同じ高さまで移動させ、当該投子捕捉盤を用いてルーレットゲームを実行し得るものであるから、抽選手段の切替えが投子捕捉盤の上下方向への移動、切替えによって容易に実現でき、そのため、スペース的にもコスト的にも負担がかからず、また、その切替え状態をプレイヤーは明確に視認できると共に、抽選手段の切替えによる抽選状況の変化を如実に体験することができるというデモンストレーション効果にも優れたルーレットゲーム装置を提供し得るものである。
【発明を実施するための最良の形態】
【００１２】
以下、図面に示す実施例を参照しつつ、本発明を実施するための最良の形態について説明する。
【実施例１】
【００１３】
図１は、本発明に係る抽選手段切替え機能を有するルーレットゲーム装置の一実施例の要部を示す説明図、
図２は、本発明に係るルーレットゲーム装置を一部に備えたゲーム機の全体的構成を示す外観図、
図３は、本発明に係るルーレットゲーム装置で用いられる投子捕捉盤の一実施例を示す平面図、
図４は、本発明に係るルーレットゲーム装置で用いられる投子捕捉盤のもう一つの実施例を示す平面図、
図５は、本発明に係るルーレットゲーム装置で用いられる投子捕捉盤の更にもう一つの実施例を示す平面図、
図６は、本発明に係るルーレットゲーム装置のルーレット回転盤の外縁部に上下方向に変位可能なように設けられる障壁枠の配置状態を示す概略断面図である。
図１中、１はルーレット回転盤、１ａはそのゲームフィールド、２はルーレット回転盤１の回転駆動機構、３は投子射出装置、４ａ，４ｂ，４ｃは投子捕捉盤、５は投子捕捉盤の支軸、６０１〜６１８は投子捕捉盤４ａ，４ｂ，４ｃの各投子捕捉ポケットごとに設けられた投子検知器、７は支軸５の昇降駆動装置、８は投子捕捉盤の回転装置、９は入賞装置、１０はゲーム操作のための入力装置、１１はゲーム装置全体の作動の制御を行う制御装置であり、図２中、Ｍ１及びＭ２はメダルゲーム機、Ｒはメダルゲーム機の間に付設された本発明に係るルーレットゲーム装置である。
【００１４】
本発明に係るルーレットゲーム装置は、それ自体単独でのゲーム機として利用するように構成することもできるが、図２に示した実施例では、メダルゲーム機Ｍ１及びＭ２の間に付設され、メダルゲームの進行過程でイベントとして抽選を行う場面においてルーレットゲーム装置Ｒが利用されるようになっている。
【００１５】
図１には、上記ルーレットゲーム装置Ｒの要部が示されている。
ルーレット回転盤１は、すり鉢型のゲームフィールド１ａを有し、その回転駆動機構２によって使用時に一時的に回転せしめられるようになっている。その回転期間中に、プレイヤーの操作等に基づき、投子射出装置３からボールその他のゲーム用の投子がルーレット回転盤１上に放出され、ルーレット回転盤１上を転動する。然るのち、ルーレット回転盤１の回転を停止させると、投子は徐々にその転動速度を低下させると共に、転動半径を減少させ、すり鉢型のゲームフィールド１ａの中央方向へ移動する。
ゲームフィールド１ａの中央には、図１に示した状態においては、ルーレット回転盤と同軸に、かつ、ゲームフィールド１ａの内縁と同じ高さになるように投子捕捉盤４ａが設けられており、投子捕捉盤４ａの周縁部には複数の投子捕捉ポケット（図示した例においては６個のポケット）が形成されている。ゲームフィールド１ａ内を転動していた投子は次第にその転動速度を低下させ、最終的に投子捕捉盤４ａの６個のポケットのうちの何れかの中に捕捉されて停止する。
投子捕捉盤４ａの各投子捕捉ポケットには光学式、接触式等の投子検知器６０１〜６０６が設けられており、ボーナス等が付与される予め定められたポケットに投子が捕捉されたことが検知された場合には、その投子検知信号に応じて、制御装置１１を介して入賞装置９が作動し、所定の賞が与えられるようになっている。
ここで「賞」とは、通常は、ルーレットゲーム装置Ｒにおけるストックボールの増加や、メダルゲーム機Ｍ１，Ｍ２におけるストックメダルの増加若しくは払出し等であるが、必ずしもこれに限定されるものではなく、例えば２人以上のプレイヤーが対戦型ゲームを行っている場合には、ゲーム上の何らかの権利を取得する優先順位等であってもよい。
メダル払出し等の賞の付与動作は、入賞装置９によって実行される。
【００１６】
而して、本発明に係るルーレットゲーム装置においては、図示する如く、投子捕捉盤４ａの他に、更に形態の異なる２個の投子射出装置４ｂ，４ｃが、適宜の間隔を介して支軸５上に同軸に取り付けられている。
支軸５は、その昇降駆動装置７によって上下方向に昇降可能なようになっており、ゲームの状況に応じて、プレイヤーにより選択され、又は、ゲームの進行状態に応じて自動的に選択された投子捕捉盤４ａ，４ｂ，４ｃの中の任意の一つが、ゲームフィールド１ａの内縁と同じ高さに移動せしめられるようになっている。
また、最上段の投子捕捉盤４ｃについては、上記の如くプレイヤーにより選択され、ゲームフィールド１ａの内縁と同じ高さに移動せしめられた後に、投子捕捉盤の回転装置８によって軸中心に回転せしめられるように構成されている。
下段の投子捕捉盤４ａの６個の投子捕捉ポケットには、前記の如く、投子検知器６０１〜６０６が設けられているが、これと同様に、中段の投子捕捉盤４ｂの６個の投子捕捉ポケットには、投子検知器６０７〜６１２が設けられ、上段の投子捕捉盤４ｃの６個の投子捕捉ポケットには、投子検知器６１３〜６１８が設けられている。
【００１７】
図示した実施例において、例えば、下段の投子捕捉盤４ａはＳＪＰディスク（スーパージャックポットディスク）と称され、図３にその平面図が示されている。
１人のプレイヤーが、図２に示すメダルゲーム機Ｍ１又はＭ２を用いてゲームを行っている過程において、そのスロットに或る一定のシンボルが揃うと、抽選手段としてＳＪＰディスクを用いてルーレットゲーム装置Ｒで抽選を行う権利がプレイヤーに与えられる。
プレイヤーがその抽選を希望するときは、ＳＪＰディスク（投子捕捉盤４ａ）を選択すると共に、使用ボール数を指定する。
【００１８】
然るときは、ＳＪＰディスク（投子捕捉盤４ａ）がゲームフィールド１ａの内縁と同じ高さに移動せしめられた後、ルーレット回転盤１が回転し始め、投子射出装置３から、プレイヤーが指定した数のボールが放出される。その後、前記の如くルーレット回転盤１の回転が停止し、ボールの転動速度も低下して、各ボールはＳＪＰディスク（投子捕捉盤４ａ）のポケット内に捕捉される。このとき、Ｓ、Ｊ、Ｐのマークのポケットにすべてボールが入ると、ボールストック数が１個追加されるというボーナス（賞品）が与えられる。ボールストック数が一定の値に達すると、メダルゲーム機Ｍ１，Ｍ２におけるゲーム上の何らかの特典が与えられる。Ｓ、Ｊ、Ｐのマークのポケットの１つ又は２つにだけボールが入った場合には、その記録が液晶画面に表示され、次回にＳＪＰディスクを用いて抽選を行い、残りのポケットにボールが入ったときにボーナスが与えられる。
【００１９】
次に、中段の投子捕捉盤４ｂは、例えば、スペシャルアップディスクと称され、図４にその平面図が示されている。
前記ＳＪＰディスク４ａ（スーパージャックポットディスク）による抽選を行った後、プレイヤーがそのボーナスのダブルアップを狙う場合には、抽選手段として中段のスペシャルアップディスク４ｂを選択する。
スペシャルアップディスク４ｂの各ポケットには、「ｘ０」、「ｘ１」、「ｘ２」、「ｘ３」等のマークが記されており、それぞれのポケットにボールが入った場合には、前回ボーナスとして与えられたボール数が０倍（即ち、没収）、１倍（増減なし）、２倍、３倍等に変化するようになっている。
【００２０】
プレイヤーが、中段のスペシャルアップディスク４ｂを選択すると、スペシャルアップディスク４ｂがゲームフィールド１ａの内縁と同じ高さに移動せしめられた後、ルーレット回転盤１が回転し始め、投子射出装置３から、１個のボールが放出される。その後、ルーレット回転盤１の回転が停止し、ボールの転動速度も低下して、ボールが何れかのポケットに入ったときは、そのポケットの表示に従って、ボールが０倍、１倍、２倍、３倍等に変化する。
【００２１】
上段の投子捕捉盤４ｃは、サバイバルディスクと称され、図５にその平面図が示されている。
このサバイバルディスク４ｃは、２人のプレイヤーが図２に示すメダルゲーム機Ｍ１及びＭ２を用いてそれぞれの獲得メダル数を競う対戦型ゲームを行っている場合において、一つのイベントとしてサバイバル（生き残り）ゲームを行うときの抽選手段として用いられる。
２人のプレイヤーがいずれもサバイバルゲームに参加するという選択を行った場合には、使用するボール数を指定すべき旨の表示がなされ、各プレイヤーはその数を入力する。
【００２２】
然るときは、サバイバルディスク４ｃがゲームフィールド１ａの内縁と同じ高さに移動せしめられると共に、図６に示す如く、ルーレット回転盤１の外縁部に沿って上下方向に変位可能なように設けた障壁枠１ｂが引き下げられる。次いで、投子捕捉盤の回転装置８が駆動され、サバイバルディスク４ｃが高速で回転せしめられる。
その状態で、投子射出装置３から、各プレイヤーが指定した数のボールが次々に放出され、それらのボールの一部は、サバイバルディスク４ｃの外周部に設けた弾性爪に弾かれてゲームフィールド外（アウトゾーン）へ投げ出される。ボールには各プレイヤーごとに定められた着色がなされている。
一定時間が経過すると、サバイバルディスク４ｃの回転が停止し、サバイバルゲームが終了する。このときにサバイバルディスク４ｃのポケットに入ったボールが生き残ったボールとなり、入賞装置９の作動によりその数に応じたメダルが各プレイヤーのフィールドに払い出される。
【００２３】
なお、メダルゲーム機Ｍ１及びＭ２を用いて２人のプレイヤーがゲームを行う場合、中段のスペシャルアップディスク４ｂを倍率争奪ゲームの抽選手段として用いることも可能であり、その場合、各プレイヤーごとに着色されたボールの入ったポケットの倍率に応じた数のメダルが各プレイヤーに払い出されるように構成することができる。
【００２４】
本発明に係るルーレットゲーム装置の上記の如き各種動作の制御は、制御装置１０のハードウェアに組み込まれた所定のコンピュータープログラムを当該ハードウェアを用いて実行することにより実現されるものである。
【産業上の利用可能性】
【００２５】
本発明は上記の如く構成されるから、本発明によるときは、投子捕捉盤を切り替えることによって抽選手段の切替えが容易に実現でき、そのため、スペース的にもコスト的にも負担がかからず、また、その切替え状態をプレイヤーは明確に視認できると共に、抽選手段の切替えによる抽選状況の変化を如実に体験することができるというデモンストレーション効果にも優れたルーレットゲーム装置を提供し得るものである。
【図面の簡単な説明】
【００２６】
【図１】本発明に係る抽選手段切替え機能を有するルーレットゲーム装置の一実施例の要部を示す説明図である。
【図２】本発明に係るルーレットゲーム装置を一部に備えたゲーム機の全体的構成を示す外観図である。
【図３】本発明に係るルーレットゲーム装置で用いられる投子捕捉盤の一実施例を示す平面図である。
【図４】本発明に係るルーレットゲーム装置で用いられる投子捕捉盤のもう一つの実施例を示す平面図である。
【図５】本発明に係るルーレットゲーム装置で用いられる投子捕捉盤の更にもう一つの実施例を示す平面図である。
【図６】本発明に係るルーレットゲーム装置のルーレット回転盤の外縁部に上下方向に変位可能なように設けられる障壁枠の配置状態を示す概略断面図である。
【符号の説明】
【００２７】
１      ルーレット回転盤
１ａ    ゲームフィールド
２      ルーレット回転盤の回転駆動機構
３      投子射出装置
４ａ，４ｂ，４ｃ  投子捕捉盤
５      支軸
６０１〜６１８    投子検知器
７      支軸の昇降駆動装置
８      投子捕捉盤の回転装置
９      入賞装置
１０    入力装置
１１    制御装置
Ｍ１，Ｍ２  メダルゲーム機
Ｒ      ルーレットゲーム装置
【図１】
2005065885.tif 000003
【図２】
2005065885.tif 000004
【図３】
2005065885.tif 000005
【図４】
2005065885.tif 000006
【図５】
2005065885.tif 000007
【図６】
2005065885.tif 000008